(57)【要約】【課題】コイル同士の電磁結合を防ぐコイル電磁結合抑制方法を提供する。【解決手段】回路基板上に設けられた複数個のコイルのそれぞれに対して、コイルの巻き線表面に対してノイズ抑制シートを貼り付ける。当該方法により、各コイルの巻き線表面にノイズ抑制シートがあるため隣接するコイル同士の電磁結合による干渉を抑制することができる。したがって、コイルを用いて所望の制御信号を検出する場合においても、高インピーダンスの制御信号を検出することができる。【選択図】図１
2007299854.tif 000002
【特許請求の範囲】
【請求項１】
コイル同士の電磁結合を抑制するコイル電磁結合抑制方法であって、
回路基板上に設けられた複数個のコイルのそれぞれに対して、各前記コイルの巻き線表面に対してノイズ抑制シートを貼り付ける、コイル電磁結合抑制方法。
【発明の詳細な説明】
【技術分野】
【０００１】
本発明は、コイル同士の電磁結合を防ぐコイル電磁結合抑制方法に関する。
【背景技術】
【０００２】
一般的に、衛星放送受信機において、衛星放送の受信信号の受信切り替え部における多入出力部分には、高周波信号と装置を制御する信号が重畳されており、それを分離するためにＬＣ回路を用いて構成されるが、制御信号は低くかつ数百ミリアンペア（ｍＡ）以上の電流を流す必要があるためＬ（コイル）が大きくなる可能性がある。
【０００３】
また、多入出力での場合はＬ（コイル）の個数も比例的に増え、基板に対するコイルの占有率が大きくなる可能性がある。
【０００４】
そのため、隣接したコイルが接近するとコイル間で磁束の結合が起こり所望の制御信号で高インピーダンスを得ることが困難となる。
【０００５】
図３は、従来の構成において、回路基板上に複数のコイルが配置される場合を説明する図である。
【０００６】
図３に示されるように、従来の構成においては隣接するコイル同士の電磁結合が起こらないようにコイル間距離を一定以上に離す方式が示されている。ここでは、コイルの中心軸間の距離をＸ２に設定している場合が示されている。
【０００７】
一方、上述した衛星放送の受信切り替え部における多入出力部分ではＬ（コイル）の個数も比例的に増えており、さらには、回路基板の小型化により、コイル間距離を一定以上に離すといった制約には限界がある。
【０００８】
したがって、コイル間距離を一定以上に離さなくてもコイル同士の電磁結合が起こらない対策を行う必要がある。
【０００９】
一方、近年、パソコンや携帯電話に代表される、電子機器等は、急速に発達、普及しており、これらの機器が発する不要な電磁波ノイズによる電磁環境問題が重要な問題となっており、また、これらの機器は、小型化の傾向にあり、それに伴い機器内部における電磁波ノイズの相互干渉による誤動作も問題となってきている。
【００１０】
こうした問題の対策として、ノイズ吸収特性に優れたノイズ抑制シートが考案されている（特許文献１〜３）。
【特許文献１】特開２００３−２８３１８１号公報
【特許文献２】特開２００４−２８８９４１号公報
【特許文献３】特開２００５−１９８４６号公報
【発明の開示】
【発明が解決しようとする課題】
【００１１】
しかしながら、上記のノイズ抑制シートは電磁波吸収を目的として電子機器に設けられる構成が一般的であり、コイル同士の電磁結合を抑制する手段としては用いられてこなかった。
【００１２】
本発明は、上記のような問題を解決するためになされたものであって、コイル同士の電磁結合を防ぐコイル電磁結合抑制方法を提供することを目的とする。
【課題を解決するための手段】
【００１３】
本発明に係るコイル電磁結合抑制方法は、コイル同士の電磁結合を抑制するコイル電磁結合抑制方法であって、回路基板上に設けられた複数個のコイルのそれぞれに対して、各コイルの巻き線表面に対してノイズ抑制シートを貼り付ける。
【発明の効果】
【００１４】
本発明に係るコイル電磁結合抑制方法は、複数個のコイルのそれぞれに対してコイルの巻き線表面にノイズ抑制シートを貼り付けることによりコイル同士の電磁結合を抑制することができる。
【発明を実施するための最良の形態】
【００１５】
以下、図面を参照しながら本発明の実施形態を説明する。尚、本発明は以下の実施形態に限定されるものではない。
【００１６】
図１は、本発明の実施の形態に従う構成において、回路基板上に複数のコイルが配置される場合を説明する図である。
【００１７】
図１を参照して、本例においては、たとえば回路基板にコイル３が複数個設けられた場合が示されている。具体的には、回路基板２上に３個の縦置き型コイルが配置されている。なお、縦置き型コイルについて説明するが、特にこれには限られない。そして、各コイルの巻き線表面にノイズ抑制シート１が貼り付けられる。なお、本例においては、上述したように例えば衛星放送受信機において、衛星放送の受信信号の受信切り替え部における多入出力部分の一部の構成について説明し、高周波信号と装置を制御する信号が重畳されており、それを分離するためにＬＣ回路を用いる構成について説明する。
【００１８】
図２は、コイルの巻き線表面にノイズ抑制シート１がある場合と無い場合とにおいて、制御信号のインピーダンスの検出を実行する場合を説明する図である。
【００１９】
図２（ａ）は、コイルの巻き線表面にノイズ抑制シート１が無い場合が示されている。一方、図２（ｂ）は、コイルの巻き線表面にノイズ抑制シート１がある場合が示されている。
【００２０】
図２（ａ）に示されるようにコイルの巻き線表面にノイズ抑制シート１が無い場合には、所望の信号周波数においてコイルの電磁結合による干渉により、高インピーダンスを検出することができない場合が示されている。
【００２１】
一方、図２（ｂ）に示されるようにコイルの巻き線表面にノイズ抑制シート１がある場合には、所望の信号周波数においてコイルの電磁結合による干渉を抑制することができるため、結果として高インピーダンスの制御信号を検出することができる場合が示されている。
【００２２】
また、従来においては、コイルＬの個数が増大する場合に、上記したようにコイルの電磁結合による干渉を抑制するためにコイル間距離を一定以上離す例えば距離Ｘ２以上離す必要が生じたが、本実施の形態に従う構成により、図１に示されるように隣接する互いのコイル間の距離をより近づける例えば距離Ｘ１（＜Ｘ２）に設定することが可能となり、コイルのレイアウトに関して厳しい制約を緩和することが可能となる。
【００２３】
なお、本例においては、衛星放送受信機の回路基板で用いられるコイルに対してノイズ抑制シート１を用いる場合について説明したが、これに限られず、複数のコイルが隣接するような場合であれば同様の方式に従ってノイズ抑制シート１を用いることにより任意の電子機器で電磁結合を抑制することが可能である。
【００２４】
今回開示された実施の形態はすべての点で例示であって制限的なものではない。本発明の範囲は上記した実施の形態ではなくて特許請求の範囲によって示され、特許請求の範囲と均等な意味および範囲内でのすべての変更点が含まれることが意図される。
【図面の簡単な説明】
【００２５】
【図１】本発明の実施の形態に従う構成において、回路基板上に複数のコイルが配置される場合を説明する図である。
【図２】コイルの巻き線表面にノイズ抑制シートがある場合と無い場合とにおいて、制御信号のインピーダンスの検出を実行する場合を説明する図である。
【図３】従来の構成において、回路基板上に複数のコイルが配置される場合を説明する図である。
【符号の説明】
【００２６】
１  ノイズ抑制シート、２  回路基板、３  コイル。
【図１】
2007299854.tif 000003
【図２】
2007299854.tif 000004
【図３】
2007299854.tif 000005